(57)【特許請求の範囲】
【請求項１】
情報を表示する情報表示手段と、利用者からの指示を受け付ける指示受付手段とを備えている画像形成装置であって、
前記情報表示手段は、前記画像形成装置自身に関する情報である自装置情報を表示する自装置情報表示領域と、前記画像形成装置自身以外の他の画像形成装置に関する情報である他装置情報を表示する他装置情報表示領域と、前記画像形成装置自身に対する指示を受け付けるための操作部である自装置操作部と、前記他の画像形成装置に対する指示を受け付けるための操作部である他装置操作部とを含む画面を表示し、
前記情報表示手段は、前記自装置情報に基づいた前記画像形成装置自身での印刷のプレビューと、前記他装置情報に基づいた前記画像形成装置自身での印刷のプレビューとの何れか一方を前記自装置情報表示領域に表示すると同時に、前記自装置情報に基づいた前記他の画像形成装置での印刷のプレビューと、前記他装置情報に基づいた前記他の画像形成装置での印刷のプレビューとの何れか一方を前記他装置情報表示領域に表示し、
前記指示受付手段は、前記情報表示手段が前記画面を表示しているとき、前記自装置操作部が操作されることによって前記画像形成装置自身に対する指示を受け付けるとともに、前記他装置操作部が操作されることによって前記他の画像形成装置に対する指示を受け付けることを特徴とする画像形成装置。
【請求項２】
前記指示受付手段は、前記自装置情報の印刷設定と、前記他装置情報の印刷設定との一方に基づいて他方を一括して変更する指示を受け付けることを特徴とする請求項１に記載の画像形成装置。
【請求項３】
前記指示受付手段は、前記画像形成装置自身に対する指示として、前記他装置情報の印刷設定に基づいた前記画像形成装置自身での印刷の指示を受け付けることを特徴とする請求項１または請求項２に記載の画像形成装置。
【請求項４】
前記指示受付手段は、前記他の画像形成装置に対する指示として、前記自装置情報の印刷設定に基づいた前記他の画像形成装置での印刷の指示を受け付けることを特徴とする請求項１から請求項３までの何れかに記載の画像形成装置。
【請求項５】
情報を表示する情報表示手段、および、利用者からの指示を受け付ける指示受付手段として画像形成装置を機能させる画像形成プログラムであって、
前記情報表示手段は、前記画像形成装置自身に関する情報である自装置情報を表示する自装置情報表示領域と、前記画像形成装置自身以外の他の画像形成装置に関する情報である他装置情報を表示する他装置情報表示領域と、前記画像形成装置自身に対する指示を受け付けるための操作部である自装置操作部と、前記他の画像形成装置に対する指示を受け付けるための操作部である他装置操作部とを含む画面を表示し、
前記情報表示手段は、前記自装置情報に基づいた前記画像形成装置自身での印刷のプレビューと、前記他装置情報に基づいた前記画像形成装置自身での印刷のプレビューとの何れか一方を前記自装置情報表示領域に表示すると同時に、前記自装置情報に基づいた前記他の画像形成装置での印刷のプレビューと、前記他装置情報に基づいた前記他の画像形成装置での印刷のプレビューとの何れか一方を前記他装置情報表示領域に表示し、
前記指示受付手段は、前記情報表示手段が前記画面を表示しているとき、前記自装置操作部が操作されることによって前記画像形成装置自身に対する指示を受け付けるとともに、前記他装置操作部が操作されることによって前記他の画像形成装置に対する指示を受け付けることを特徴とする画像形成プログラム。
【発明の詳細な説明】
【技術分野】
【０００１】
本発明は、他の画像形成装置を操作することができる画像形成装置に関する。
【背景技術】
【０００２】
従来、他の画像形成装置を操作することができる画像形成装置として、画像形成装置自身に関する情報が表示されているときに、画像形成装置自身に対する利用者からの指示を受け付け、他の画像形成装置に関する情報が表示されているときに、その他の画像形成装置に対する利用者からの指示を受け付ける画像形成装置が知られている（例えば、特許文献１参照。）。
【先行技術文献】
【特許文献】
【０００３】
【特許文献１】特開２００５−１７８０６４号公報
【発明の概要】
【発明が解決しようとする課題】
【０００４】
しかしながら、従来の画像形成装置は、画像形成装置自身および他の画像形成装置の一方に関する情報が表示されているときに、画像形成装置自身および他の画像形成装置の他方に対する利用者からの指示を受け付けることができないという問題がある。
【０００５】
そこで、本発明は、画像形成装置自身および他の画像形成装置の一方に関する情報が表示されているときに、画像形成装置自身および他の画像形成装置の他方に対する利用者からの指示を受け付けることができる画像形成装置を提供することを目的とする。
【課題を解決するための手段】
【０００６】
本発明の画像形成装置は、情報を表示する情報表示手段と、利用者からの指示を受け付ける指示受付手段とを備えている画像形成装置であって、前記情報表示手段は、前記画像形成装置自身に関する情報である自装置情報を表示する自装置情報表示領域と、前記画像形成装置自身以外の他の画像形成装置に関する情報である他装置情報を表示する他装置情報表示領域とを含む画面を表示し、前記指示受付手段は、前記情報表示手段が前記画面を表示しているとき、前記画像形成装置自身に対する指示と、前記他の画像形成装置に対する指示とを受け付けることを特徴とする。
【０００７】
この構成により、本発明の画像形成装置は、自装置情報表示領域および他装置情報表示領域を含む画面を表示するので、画像形成装置自身および他の画像形成装置の一方に関する情報が表示されているときに、画像形成装置自身および他の画像形成装置の他方に対する利用者からの指示を受け付けることができる。
【０００８】
また、本発明の画像形成装置の前記指示受付手段は、前記自装置情報の印刷設定と、前記他装置情報の印刷設定との一方に基づいて他方を一括して変更する指示を受け付けても良い。
【０００９】
この構成により、本発明の画像形成装置は、自装置情報の印刷設定と、他装置情報の印刷設定との一方に基づいて他方を一括して変更することができる。
【００１０】
また、本発明の画像形成装置の前記指示受付手段は、前記画像形成装置自身に対する指示として、前記他装置情報の印刷設定に基づいた前記画像形成装置自身での印刷の指示を受け付けても良い。
【００１１】
この構成により、本発明の画像形成装置は、他装置情報の印刷設定に基づいて画像形成装置自身で印刷することができる。
【００１２】
また、本発明の画像形成装置の前記指示受付手段は、前記他の画像形成装置に対する指示として、前記自装置情報の印刷設定に基づいた前記他の画像形成装置での印刷の指示を受け付けても良い。
【００１３】
この構成により、本発明の画像形成装置は、自装置情報の印刷設定に基づいて他の画像形成装置に印刷させることができる。
【００１４】
また、本発明の画像形成プログラムは、情報を表示する情報表示手段、および、利用者からの指示を受け付ける指示受付手段として画像形成装置を機能させる画像形成プログラムであって、前記情報表示手段は、前記画像形成装置自身に関する情報である自装置情報を表示する自装置情報表示領域と、前記画像形成装置自身以外の他の画像形成装置に関する情報である他装置情報を表示する他装置情報表示領域とを含む画面を表示し、前記指示受付手段は、前記情報表示手段が前記画面を表示しているとき、前記画像形成装置自身に対する指示と、前記他の画像形成装置に対する指示とを受け付けることを特徴とする。
【００１５】
この構成により、本発明の画像形成プログラムを実行する画像形成装置は、自装置情報表示領域および他装置情報表示領域を含む画面を表示するので、画像形成装置自身および他の画像形成装置の一方に関する情報が表示されているときに、画像形成装置自身および他の画像形成装置の他方に対する利用者からの指示を受け付けることができる。
【発明の効果】
【００１６】
本発明の画像形成装置は、画像形成装置自身および他の画像形成装置の一方に関する情報が表示されているときに、画像形成装置自身および他の画像形成装置の他方に対する利用者からの指示を受け付けることができる。
【図面の簡単な説明】
【００１７】
【図１】本発明の一実施の形態に係る画像形成システムのブロック図である。
【図２】図１に示すＭＦＰのブロック図である。
【図３】図２に示すディスプレイに表示される二装置画面を示す図である。
【図４】図２に示すＭＦＰの動作のフローチャートである。
【図５】図２に示すディスプレイに表示される基本画面を示す図である。
【図６】図４に示す基本画面用自装置情報設定処理のフローチャートである。
【図７】図５に示す基本画面における自装置情報の設定用のボタンを示す図である。
【図８】図４に示す他装置関係処理のフローチャートである。
【図９】図２に示すディスプレイに表示される他装置一覧画面を示す図である。
【図１０】図８に示す二装置画面用自装置情報設定処理のフローチャートである。
【図１１】図３に示す二装置画面における自装置情報の設定用のボタンを示す図である。
【図１２】図８に示す自装置印刷処理のフローチャートである。
【図１３】図３に示す二装置画面における自装置による印刷用のボタンを示す図である。
【図１４】図８に示す他装置情報設定処理のフローチャートである。
【図１５】図３に示す二装置画面における他装置情報の設定用のボタンを示す図である。
【図１６】図８に示す他装置印刷処理のフローチャートである。
【図１７】図３に示す二装置画面における他装置による印刷用のボタンを示す図である。
【発明を実施するための形態】
【００１８】
以下、本発明の一実施の形態について、図面を用いて説明する。
【００１９】
まず、本実施の形態に係る画像形成システムの構成について説明する。
【００２０】
図１は、本実施の形態に係る画像形成システム１０のブロック図である。
【００２１】
図１に示すように、画像形成システム１０は、ＭＦＰ（Ｍｕｌｔｉｆｕｎｃｔｉｏｎ  Ｐｅｒｉｐｈｅｒａｌ）２０を含む複数のＭＦＰを備えている。複数のＭＦＰは、ＬＡＮ（Ｌｏｃａｌ  Ａｒｅａ  Ｎｅｔｗｏｒｋ）などのネットワーク１１経由で互いに通信可能に接続されている。画像形成システム１０の複数のＭＦＰのうちＭＦＰ２０以外のＭＦＰは、ＭＦＰ２０が本発明の画像形成装置であるときに本発明の他の画像形成装置を構成している。
【００２２】
図２は、ＭＦＰ２０のブロック図である。
【００２３】
図２に示すように、ＭＦＰ２０は、ＭＦＰ２０を制御するコントローラ３０と、コントローラ３０に接続されていて種々の情報を表示するディスプレイ４１と、コントローラ３０に接続されていて利用者によって種々の操作が入力される操作部４２と、コントローラ３０に接続されていて用紙などの記録媒体に印刷を実行するプリンタ４３と、コントローラ３０に接続されていて原稿を読み込んで画像データを生成する読込デバイスであるスキャナ４４と、コントローラ３０に接続されていてＰＣ（Ｐｅｒｓｏｎａｌ  Ｃｏｍｐｕｔｅｒ）などの外部の装置とネットワーク１１経由でネットワーク通信を行うネットワーク通信部４５と、コントローラ３０に接続されているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性記憶装置４６とを備えている。
【００２４】
コントローラ３０は、ＣＰＵ（Ｃｅｎｔｒａｌ  Ｐｒｏｃｅｓｓｉｎｇ  Ｕｎｉｔ）と、本発明の画像形成プログラムを含むプログラムおよび各種のデータを予め記憶しているＲＯＭ（Ｒｅａｄ  Ｏｎｌｙ  Ｍｅｍｏｒｙ）と、ＣＰＵの作業領域として用いられる書き換え可能な揮発性の記憶装置であるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行することによって制御部を動作させる演算処理装置である。ＲＡＭは、ＣＰＵによってプログラムが実行されるときにプログラムや各種のデータを一時的に記憶するようになっている。コントローラ３０は、画像形成プログラムを実行することによって、ディスプレイ４１を介して情報を表示する情報表示手段３１、操作部４２を介して利用者からの指示を受け付ける指示受付手段３２、プリンタ４３によって印刷を実行する印刷実行手段３３、スキャナ４４によって画像データを生成する画像読込手段３４、ネットワーク通信部４５を介して他のＭＦＰから情報を受信する情報受信手段３５、ネットワーク通信部４５を介して他のＭＦＰに情報を送信する情報送信手段３６、および、情報を不揮発性記憶装置４６に書き込む情報書込手段３７として機能する。
【００２５】
図３は、ディスプレイ４１に表示される二装置画面５２を示す図である。
【００２６】
情報表示手段３１は、図３に示すように、ＭＦＰ２０自身に関する情報である自装置情報を表示する自装置情報表示領域６０と、ＭＦＰ２０自身以外の他のＭＦＰに関する情報である他装置情報を表示する他装置情報表示領域７０とを含む画面である二装置画面５２を表示する。例えば、自装置情報表示領域６０および他装置情報表示領域７０には、印刷の部数を数値で示す「部数」、印刷の濃度を数値で示す「濃度」、印刷の色を「白黒」または「カラー」の何れかで示す「カラー」、および、印刷を両面にするか否かを「する」または「しない」の何れかで示す「両面」という各種の印刷設定の情報が含まれている。
【００２７】
図２に示す指示受付手段３２は、情報表示手段３１が二装置画面５２を表示しているとき、ＭＦＰ２０自身に対する指示と、他のＭＦＰに対する指示とを受け付ける。例えば、指示受付手段３２は、自装置情報の印刷設定と、他装置情報の印刷設定との一方に基づいて他方を一括して変更する指示を受け付ける。また、指示受付手段３２は、ＭＦＰ２０自身に対する指示として、他装置情報の印刷設定に基づいたＭＦＰ２０自身での印刷の指示を受け付ける。更に、指示受付手段３２は、他のＭＦＰに対する指示として、自装置情報の印刷設定に基づいた他のＭＦＰでの印刷の指示を受け付ける。
【００２８】
ディスプレイ４１は、例えばＬＣＤ(Ｌｉｑｕｉｄ  Ｃｒｙｓｔａｌ  Ｄｉｓｐｌａｙ)などの表示デバイスである。
【００２９】
操作部４２は、ディスプレイ４１とともにタッチパネルを形成するボタンなどの入力デバイスである。
【００３０】
プリンタ４３は、例えば、スキャナ４４によって生成された画像データや、外部の装置からネットワーク通信部４５を介して受信された印刷データなどの各種のデータを印刷する印刷デバイスである。
【００３１】
ネットワーク通信部４５は、例えば、スキャナ４４によって生成された画像データを外部の装置に送信したり、プリンタ４３で印刷されるための印刷データを外部の装置から受信したりする。
【００３２】
不揮発性記憶装置４６は、自装置情報を記憶する自装置情報記憶部４６ａと、他装置情報を記憶する他装置情報記憶部４６ｂとを備えている。他装置情報記憶部４６ｂは、ＭＦＰ毎に他装置情報を記憶している。
【００３３】
画像形成システム１０の複数のＭＦＰのうちＭＦＰ２０以外のＭＦＰの構成は、ＭＦＰ２０の構成と同様であるので、説明を省略する。
【００３４】
次に、画像形成システム１０の動作について説明する。
【００３５】
図４は、ＭＦＰ２０の動作のフローチャートである。
【００３６】
ＭＦＰ２０は、図４に示す動作と並行して次の動作を実行する。すなわち、ＭＦＰ２０は、ＭＦＰ２０自身に関する情報を他のＭＦＰから情報受信手段３５が受信したとき、情報受信手段３５が受信した情報を自装置情報として情報書込手段３７によって自装置情報記憶部４６ａに書き込む。また、ＭＦＰ２０は、他のＭＦＰに関する情報を他のＭＦＰから情報受信手段３５が受信したとき、情報受信手段３５が受信した情報を該当するＭＦＰの他装置情報として情報書込手段３７によって他装置情報記憶部４６ｂに書き込む。
【００３７】
図４に示すように、ＭＦＰ２０の情報表示手段３１は、図５に示す基本画面５０をディスプレイ４１に表示する（Ｓ１０１）。ここで、情報表示手段３１は、自装置情報記憶部４６ａに記憶されている自装置情報に基づいて自装置情報表示領域６０を表示する。
【００３８】
図５は、ディスプレイ４１に表示される基本画面５０を示す図である。
【００３９】
図５に示すように、基本画面５０は、自装置情報表示領域６０と、利用者が自装置情報の変更を希望するときに押すための「設定」ボタン６１と、利用者が自装置であるＭＦＰ２０での印刷の実行を希望するときに押すための「印刷」ボタン６２と、利用者が他のＭＦＰの選択を希望するときに押すための「他装置選択」ボタン６３とを備えている。
【００４０】
図４に示すように、Ｓ１０１の処理の後、指示受付手段３２は、「設定」ボタン６１が押されたか否かを判断する（Ｓ１０２）。指示受付手段３２は、「設定」ボタン６１が押されていないとＳ１０２において判断すると、「印刷」ボタン６２が押されたか否かを判断する（Ｓ１０３）。指示受付手段３２は、「印刷」ボタン６２が押されていないとＳ１０３において判断すると、「他装置選択」ボタン６３が押されたか否かを判断する（Ｓ１０４）。Ｓ１０４において「他装置選択」ボタン６３が押されていないと判断されると、情報表示手段３１は、再び図５に示す基本画面５０をディスプレイ４１に表示する（Ｓ１０１）。
【００４１】
Ｓ１０２において「設定」ボタン６１が押されたと判断されると、コントローラ３０は、図６に示す基本画面用自装置情報設定処理を実行する（Ｓ１０５）。
【００４２】
図６は、基本画面用自装置情報設定処理のフローチャートである。
【００４３】
図６に示す基本画面用自装置情報設定処理において、情報表示手段３１は、図７に示すように自装置情報の設定用のボタンを表示する（Ｓ１２１）。
【００４４】
図７は、基本画面５０における自装置情報の設定用のボタンを示す図である。
【００４５】
図７に示すように、基本画面５０における自装置情報の設定用のボタンには、利用者が自装置情報の変更の決定を希望するときに押すための「決定」ボタン６１ａと、利用者が自装置情報の変更の取り消しを希望するときに押すための「キャンセル」ボタン６１ｂとが含まれている。
【００４６】
利用者は、図７に示す自装置情報表示領域６０において、自装置情報を変更することができる。
【００４７】
図６に示すように、Ｓ１２１の処理の後、指示受付手段３２は、「決定」ボタン６１ａが押されたか否かを判断する（Ｓ１２２）。指示受付手段３２は、「決定」ボタン６１ａが押されていないとＳ１２２において判断すると、「キャンセル」ボタン６１ｂが押されたか否かを判断する（Ｓ１２３）。指示受付手段３２は、「キャンセル」ボタン６１ｂが押されていないとＳ１２３において判断すると、再びＳ１２２の処理を実行する。
【００４８】
Ｓ１２２において「決定」ボタン６１ａが押されたと判断されると、情報書込手段３７は、自装置情報表示領域６０において変更された自装置情報を自装置情報記憶部４６ａに書き込む（Ｓ１２４）。
【００４９】
次いで、情報送信手段３６は、Ｓ１２４において不揮発性記憶装置４６に書き込まれた自装置情報をネットワーク通信部４５を介して他のＭＦＰに送信する（Ｓ１２５）。したがって、他のＭＦＰは、ＭＦＰ２０から受信したＭＦＰ２０の自装置情報を他装置情報として他のＭＦＰ自身の他装置情報記憶部に書き込む。
【００５０】
コントローラ３０は、Ｓ１２３において「キャンセル」ボタン６１ｂが押されたと判断されるか、Ｓ１２５の処理が実行されると、図６に示す基本画面用自装置情報設定処理を終了する。
【００５１】
図４に示すように、基本画面用自装置情報設定処理が終了されると、情報表示手段３１は、再び図５に示す基本画面５０をディスプレイ４１に表示する（Ｓ１０１）。
【００５２】
指示受付手段３２は、「印刷」ボタン６２が押されたとＳ１０３において判断すると、自装置情報記憶部４６ａに記憶されている自装置情報に基づいて印刷を実行する（Ｓ１０６）。次いで、情報表示手段３１は、再び図５に示す基本画面５０をディスプレイ４１に表示する（Ｓ１０１）。
【００５３】
Ｓ１０４において「他装置選択」ボタン６３が押されたと判断されると、コントローラ３０は、図８に示す他装置関係処理を実行する（Ｓ１０７）。
【００５４】
図８は、他装置関係処理のフローチャートである。
【００５５】
図８に示す他装置関係処理において、情報表示手段３１は、図９に示すように他装置一覧画面５１を表示する（Ｓ１４１）。なお、他装置一覧画面５１に表示される他装置は、Ｓ１４１の実行時にネットワーク１１経由でＭＦＰ２０と接続されているＭＦＰである。
【００５６】
図９は、ディスプレイ４１に表示される他装置一覧画面５１を示す図である。
【００５７】
図９に示すように、他装置一覧画面５１は、自装置情報表示領域６０と、「設定」ボタン６１と、「印刷」ボタン６２と、「他装置選択」ボタン６３と、他装置の一覧を表示する他装置一覧領域８０と、利用者が他装置の選択の決定を希望するときに押すための「決定」ボタン８１とを備えている。他装置一覧領域８０は、対象とする他装置を「選択しない」ということや、何れの他装置を対象とするかということを、ラジオボタンによって利用者が選択可能な領域である。なお、図９において、「設定」ボタン６１、「印刷」ボタン６２および「他装置選択」ボタン６３は、利用者によって押されることができないようになっている。
【００５８】
図８に示すように、Ｓ１４１の処理の後、指示受付手段３２は、「決定」ボタン８１が押されたか否かを判断する（Ｓ１４２）。
【００５９】
Ｓ１４２において「決定」ボタン８１が押されていないと判断されると、情報表示手段３１は、再び図９に示す他装置一覧画面５１をディスプレイ４１に表示する（Ｓ１４１）。
【００６０】
Ｓ１４２において「決定」ボタン８１が押されたと判断されると、コントローラ３０は、他装置一覧領域８０において「選択しない」が選択されたか否かを判断する（Ｓ１４３）。
【００６１】
コントローラ３０は、Ｓ１４３において「選択しない」が選択されたと判断すると、図８に示す他装置関係処理を終了する。
【００６２】
図４に示すように、他装置関係処理が終了されると、情報表示手段３１は、再び図５に示す基本画面５０をディスプレイ４１に表示する（Ｓ１０１）。
【００６３】
図８に示すように、Ｓ１４３において「選択しない」が選択されていないと判断すると、情報表示手段３１は、図３に示す二装置画面５２をディスプレイ４１に表示する（Ｓ１４４）。
【００６４】
図３に示すように、二装置画面５２は、自装置情報表示領域６０と、「設定」ボタン６１と、「印刷」ボタン６２と、「他装置選択」ボタン６３と、他装置情報表示領域７０と、利用者が他装置情報の変更を希望するときに押すための「設定」ボタン７１と、利用者が他装置での印刷の実行を希望するときに押すための「印刷」ボタン７２とを備えている。ここで、情報表示手段３１は、自装置情報記憶部４６ａに記憶されている自装置情報に基づいて自装置情報表示領域６０を表示する。また、情報表示手段３１は、他装置情報記憶部４６ｂに記憶されている他装置情報のうち、Ｓ１４２において「決定」ボタン８１が押されたと判断されたときに他装置一覧領域８０において選択されていたＭＦＰ（以下「対象ＭＦＰ」という。）の他装置情報に基づいて、他装置情報表示領域７０を表示する。
【００６５】
図８に示すように、Ｓ１４４の処理の後、指示受付手段３２は、自装置用の「設定」ボタン６１が押されたか否かを判断する（Ｓ１４５）。指示受付手段３２は、自装置用の「設定」ボタン６１が押されていないとＳ１４５において判断すると、自装置用の「印刷」ボタン６２が押されたか否かを判断する（Ｓ１４６）。指示受付手段３２は、自装置用の「印刷」ボタン６２が押されていないとＳ１４６において判断すると、「他装置選択」ボタン６３が押されたか否かを判断する（Ｓ１４７）。指示受付手段３２は、「他装置選択」ボタン６３が押されていないとＳ１４７において判断すると、他装置用の「設定」ボタン７１が押されたか否かを判断する（Ｓ１４８）。指示受付手段３２は、他装置用の「設定」ボタン７１が押されていないとＳ１４８において判断すると、他装置用の「印刷」ボタン７２が押されたか否かを判断する（Ｓ１４９）。Ｓ１４９において他装置用の「印刷」ボタン７２が押されていないと判断されると、情報表示手段３１は、再び図３に示す二装置画面５２をディスプレイ４１に表示する（Ｓ１４４）。
【００６６】
Ｓ１４５において「設定」ボタン６１が押されたと判断されると、コントローラ３０は、図１０に示す二装置画面用自装置情報設定処理を実行する（Ｓ１５０）。
【００６７】
図１０は、二装置画面用自装置情報設定処理のフローチャートである。
【００６８】
図１０に示す二装置画面用自装置情報設定処理において、情報表示手段３１は、図１１に示すように自装置情報の設定用のボタンを表示する（Ｓ１６１）。
【００６９】
図１１は、二装置画面５２における自装置情報の設定用のボタンを示す図である。
【００７０】
図１１に示すように、二装置画面５２における自装置情報の設定用のボタンには、「決定」ボタン６１ａと、「キャンセル」ボタン６１ｂと、利用者が自装置情報の一括変更の決定を希望するときに押すための「他装置情報に基づいて一括変更」ボタン６１ｃとが含まれている。なお、図１１において、「設定」ボタン７１および「印刷」ボタン７２は、利用者によって押されることができないようになっている。
【００７１】
利用者は、図１１に示す自装置情報表示領域６０において、自装置情報を変更することができる。
【００７２】
図１０に示すように、Ｓ１６１の処理の後、指示受付手段３２は、「決定」ボタン６１ａが押されたか否かを判断する（Ｓ１６２）。指示受付手段３２は、「決定」ボタン６１ａが押されていないとＳ１６２において判断すると、「キャンセル」ボタン６１ｂが押されたか否かを判断する（Ｓ１６３）。指示受付手段３２は、「キャンセル」ボタン６１ｂが押されていないとＳ１６３において判断すると、「他装置情報に基づいて一括変更」ボタン６１ｃが押されたか否かを判断する（Ｓ１６４）。指示受付手段３２は、「他装置情報に基づいて一括変更」ボタン６１ｃが押されていないとＳ１６４において判断すると、再びＳ１６２の処理を実行する。
【００７３】
Ｓ１６２において「決定」ボタン６１ａが押されたと判断されると、情報書込手段３７は、自装置情報表示領域６０において変更された自装置情報を自装置情報記憶部４６ａに書き込む（Ｓ１６５）。
【００７４】
次いで、情報送信手段３６は、Ｓ１６５において自装置情報記憶部４６ａに書き込まれた自装置情報をネットワーク通信部４５を介して他のＭＦＰに送信する（Ｓ１６６）。したがって、他のＭＦＰは、ＭＦＰ２０から受信したＭＦＰ２０の自装置情報を他装置情報として他のＭＦＰ自身の他装置情報記憶部に書き込む。
【００７５】
Ｓ１６４において「他装置情報に基づいて一括変更」ボタン６１ｃが押されたと判断されると、コントローラ３０は、他装置情報記憶部４６ｂに記憶されている対象ＭＦＰの他装置情報内の１つの項目を対象にする（Ｓ１６７）。例えば、コントローラ３０は、対象ＭＦＰの他装置情報内の「部数」の項目を対象にする。
【００７６】
次いで、コントローラ３０は、Ｓ１６７において対象とした項目（以下「対象項目」という。）が自装置情報記憶部４６ａに記憶されている自装置情報内に存在するか否かを判断する（Ｓ１６８）。
【００７７】
コントローラ３０は、自装置情報内に存在するとＳ１６８において判断すると、対象項目の内容と同一の内容が自装置情報に設定可能であるか否かを判断する（Ｓ１６９）。例えば、自装置情報内の項目「部数」が１から５０までの数値を設定可能である場合、コントローラ３０は、対象項目「部数」の内容が１から５０までの数値であるとき、設定可能であるとＳ１６９において判断し、対象項目「部数」の内容が５１以上の数値であるとき、設定可能ではないとＳ１６９において判断する。
【００７８】
コントローラ３０は、対象項目の内容と同一の内容が自装置情報に設定可能であるとＳ１６９において判断すると、対象項目の内容と同一の内容で自装置情報を変更する（Ｓ１７０）。
【００７９】
コントローラ３０は、自装置情報内に存在しないとＳ１６８において判断するか、対象項目の内容と同一の内容が自装置情報に設定可能ではないとＳ１６９において判断すると、対象項目については設定の変更ができないことをディスプレイ４１を介して利用者に通知する（Ｓ１７１）。
【００８０】
コントローラ３０は、Ｓ１７０の処理またはＳ１７１の処理を終了すると、対象の他装置情報内の全ての項目を対象にしたか否かを判断する（Ｓ１７２）。
【００８１】
コントローラ３０は、対象の他装置情報において未だ対象にしていない項目があるとＳ１７２において判断したとき、未だ対象にしていない項目についてＳ１６７の処理を実行する。
【００８２】
一方、対象の他装置情報内の全ての項目を対象にしたとＳ１７２において判断されると、情報書込手段３７は、Ｓ１６７〜Ｓ１７２の処理によって一括して変更した自装置情報を自装置情報記憶部４６ａに書き込む（Ｓ１６５）。
【００８３】
次いで、情報送信手段３６は、Ｓ１６５において自装置情報記憶部４６ａに書き込まれた自装置情報をネットワーク通信部４５を介して他のＭＦＰに送信する（Ｓ１６６）。したがって、他のＭＦＰは、ＭＦＰ２０から受信したＭＦＰ２０の自装置情報を他装置情報として他のＭＦＰ自身の他装置情報記憶部に書き込む。
【００８４】
コントローラ３０は、Ｓ１６３において「キャンセル」ボタン６１ｂが押されたと判断されるか、Ｓ１６６の処理が実行されると、図１０に示す二装置画面用自装置情報設定処理を終了する。
【００８５】
図８に示すように、二装置画面用自装置情報設定処理が終了されると、情報表示手段３１は、再び図３に示す二装置画面５２をディスプレイ４１に表示する（Ｓ１４４）。
【００８６】
Ｓ１４６において「印刷」ボタン６２が押されたと判断されると、コントローラ３０は、図１２に示す自装置印刷処理を実行する（Ｓ１５１）。
【００８７】
図１２は、自装置印刷処理のフローチャートである。
【００８８】
図１２に示す自装置印刷処理において、情報表示手段３１は、図１３に示すように自装置による印刷用のボタンを表示する（Ｓ１８１）。
【００８９】
図１３は、二装置画面５２における自装置による印刷用のボタンを示す図である。
【００９０】
図１３に示すように、二装置画面５２における自装置による印刷用のボタンには、利用者が自装置情報に基づいた自装置による印刷の実行を希望するときに押すための「印刷実行」ボタン６２ａと、利用者が自装置による印刷の取り消しを希望するときに押すための「キャンセル」ボタン６２ｂと、利用者が他装置情報に基づいた自装置による印刷の実行を希望するときに押すための「他装置情報に基づいて印刷実行」ボタン６２ｃとが含まれている。なお、図１３において、「設定」ボタン７１および「印刷」ボタン７２は、利用者によって押されることができないようになっている。
【００９１】
図１２に示すように、Ｓ１８１の処理の後、指示受付手段３２は、「印刷実行」ボタン６２ａが押されたか否かを判断する（Ｓ１８２）。指示受付手段３２は、「印刷実行」ボタン６２ａが押されていないとＳ１８２において判断すると、「キャンセル」ボタン６２ｂが押されたか否かを判断する（Ｓ１８３）。指示受付手段３２は、「キャンセル」ボタン６２ｂが押されていないとＳ１８３において判断すると、「他装置情報に基づいて印刷実行」ボタン６２ｃが押されたか否かを判断する（Ｓ１８４）。指示受付手段３２は、「他装置情報に基づいて印刷実行」ボタン６２ｃが押されていないとＳ１８４において判断すると、再びＳ１８２の処理を実行する。
【００９２】
Ｓ１８２において「印刷実行」ボタン６２ａが押されたと判断されると、印刷実行手段３３は、自装置情報記憶部４６ａに記憶されている自装置情報に基づいて印刷を実行する（Ｓ１８５）。
【００９３】
Ｓ１８４において「他装置情報に基づいて印刷実行」ボタン６２ｃが押されたと判断されると、印刷実行手段３３は、他装置情報記憶部４６ｂに記憶されている対象ＭＦＰの他装置情報に基づいて印刷を実行する（Ｓ１８６）。
【００９４】
ＭＦＰ２０は、Ｓ１８５またはＳ１８６において印刷実行手段３３が印刷を実行する前に、情報表示手段３１が印刷のプレビューを自装置情報表示領域６０に表示するようになっていても良い。そのようになっている場合、利用者は、自装置情報表示領域６０に表示されたプレビューを見て、ＭＦＰ２０による印刷の実行を中止することができる。
【００９５】
なお、Ｓ１８５またはＳ１８６において印刷実行手段３３が印刷を実行するデータは、例えば画像読込手段３４がスキャナ４４によって生成した画像データなど、どのようなデータであっても良い。
【００９６】
コントローラ３０は、Ｓ１８３において「キャンセル」ボタン６２ｂが押されたと判断されるか、Ｓ１８５の処理またはＳ１８６の処理が実行されると、図１２に示す自装置印刷処理を終了する。
【００９７】
図８に示すように、自装置印刷処理が終了されると、情報表示手段３１は、再び図３に示す二装置画面５２をディスプレイ４１に表示する（Ｓ１４４）。
【００９８】
Ｓ１４７において「他装置選択」ボタン６３が押されたと判断されると、情報表示手段３１は、再び図９に示す他装置一覧画面５１をディスプレイ４１に表示する（Ｓ１４１）。
【００９９】
Ｓ１４８において「設定」ボタン７１が押されたと判断されると、コントローラ３０は、図１４に示す他装置情報設定処理を実行する（Ｓ１５２）。
【０１００】
図１４は、他装置情報設定処理のフローチャートである。
【０１０１】
図１４に示す他装置情報設定処理において、情報表示手段３１は、図１５に示すように他装置情報の設定用のボタンを表示する（Ｓ２０１）。
【０１０２】
図１５は、二装置画面５２における他装置情報の設定用のボタンを示す図である。
【０１０３】
図１５に示すように、二装置画面５２における他装置情報の設定用のボタンには、「決定」ボタン７１ａと、「キャンセル」ボタン７１ｂと、利用者が他装置情報の一括変更の決定を希望するときに押すための「自装置情報に基づいて一括変更」ボタン７１ｃとが含まれている。なお、図１５において、「設定」ボタン６１、「印刷」ボタン６２および「他装置選択」ボタン６３は、利用者によって押されることができないようになっている。
【０１０４】
利用者は、図１５に示す他装置情報表示領域７０において、他装置情報を変更することができる。
【０１０５】
図１４に示すように、Ｓ２０１の処理の後、指示受付手段３２は、「決定」ボタン７１ａが押されたか否かを判断する（Ｓ２０２）。指示受付手段３２は、「決定」ボタン７１ａが押されていないとＳ２０２において判断すると、「キャンセル」ボタン７１ｂが押されたか否かを判断する（Ｓ２０３）。指示受付手段３２は、「キャンセル」ボタン７１ｂが押されていないとＳ２０３において判断すると、「自装置情報に基づいて一括変更」ボタン７１ｃが押されたか否かを判断する（Ｓ２０４）。指示受付手段３２は、「自装置情報に基づいて一括変更」ボタン７１ｃが押されていないとＳ２０４において判断すると、再びＳ２０２の処理を実行する。
【０１０６】
Ｓ２０２において「決定」ボタン７１ａが押されたと判断されると、情報書込手段３７は、他装置情報表示領域７０において変更された他装置情報を他装置情報記憶部４６ｂに書き込む（Ｓ２０５）。
【０１０７】
次いで、情報送信手段３６は、Ｓ２０５において他装置情報記憶部４６ｂに書き込まれた他装置情報をネットワーク通信部４５を介して他のＭＦＰに送信する（Ｓ２０６）。したがって、他のＭＦＰは、ＭＦＰ２０から受信した他装置情報が他のＭＦＰ自身の情報であるとき、ＭＦＰ２０から受信した他装置情報を自装置情報として他のＭＦＰ自身の自装置情報記憶部に書き込み、ＭＦＰ２０から受信した他装置情報が他のＭＦＰ自身の情報ではないとき、ＭＦＰ２０から受信した他装置情報を他のＭＦＰ自身の他装置情報記憶部に書き込む。
【０１０８】
Ｓ２０４において「自装置情報に基づいて一括変更」ボタン７１ｃが押されたと判断されると、コントローラ３０は、自装置情報記憶部４６ａに記憶されている自装置情報内の１つの項目を対象にする（Ｓ２０７）。
【０１０９】
次いで、コントローラ３０は、Ｓ２０７において対象とした項目（以下「対象項目」という。）が他装置情報記憶部４６ｂに記憶されている対象ＭＦＰの他装置情報内に存在するか否かを判断する（Ｓ２０８）。
【０１１０】
コントローラ３０は、他装置情報内に存在するとＳ２０８において判断すると、対象項目の内容と同一の内容が対象ＭＦＰの他装置情報に設定可能であるか否かを判断する（Ｓ２０９）。
【０１１１】
コントローラ３０は、対象項目の内容と同一の内容が対象ＭＦＰの他装置情報に設定可能であるとＳ２０９において判断すると、対象項目の内容と同一の内容で対象ＭＦＰの他装置情報を変更する（Ｓ２１０）。
【０１１２】
コントローラ３０は、対象ＭＦＰの他装置情報内に存在しないとＳ２０８において判断するか、対象項目の内容と同一の内容が対象ＭＦＰの他装置情報に設定可能ではないとＳ２０９において判断すると、対象項目については設定の変更ができないことをディスプレイ４１を介して利用者に通知する（Ｓ２１１）。
【０１１３】
コントローラ３０は、Ｓ２１０の処理またはＳ２１１の処理を終了すると、自装置情報内の全ての項目を対象にしたか否かを判断する（Ｓ２１２）。
【０１１４】
コントローラ３０は、自装置情報において未だ対象にしていない項目があるとＳ２１２において判断したとき、未だ対象にしていない項目についてＳ２０７の処理を実行する。
【０１１５】
一方、自装置情報内の全ての項目を対象にしたとＳ２１２において判断されると、情報書込手段３７は、Ｓ２０７〜Ｓ２１２の処理によって一括して変更した対象ＭＦＰの他装置情報を他装置情報記憶部４６ｂに書き込む（Ｓ２０５）。
【０１１６】
次いで、情報送信手段３６は、Ｓ２０５において他装置情報記憶部４６ｂに書き込まれた対象ＭＦＰの他装置情報をネットワーク通信部４５を介して他のＭＦＰに送信する（Ｓ２０６）。したがって、他のＭＦＰは、ＭＦＰ２０から受信した他装置情報が他のＭＦＰ自身の情報であるとき、ＭＦＰ２０から受信した他装置情報を自装置情報として他のＭＦＰ自身の自装置情報記憶部に書き込み、ＭＦＰ２０から受信した他装置情報が他のＭＦＰ自身の情報ではないとき、ＭＦＰ２０から受信した他装置情報を他のＭＦＰ自身の他装置情報記憶部に書き込む。
【０１１７】
コントローラ３０は、Ｓ２０３において「キャンセル」ボタン７１ｂが押されたと判断されるか、Ｓ２０６の処理が実行されると、図１４に示す他装置情報設定処理を終了する。
【０１１８】
図８に示すように、他装置情報設定処理が終了されると、情報表示手段３１は、再び図３に示す二装置画面５２をディスプレイ４１に表示する（Ｓ１４４）。
【０１１９】
Ｓ１４９において「印刷」ボタン７２が押されたと判断されると、コントローラ３０は、図１６に示す他装置印刷処理を実行する（Ｓ１５３）。
【０１２０】
図１６は、他装置印刷処理のフローチャートである。
【０１２１】
図１６に示す他装置印刷処理において、情報表示手段３１は、図１７に示すように他装置による印刷用のボタンを表示する（Ｓ２２１）。
【０１２２】
図１７は、二装置画面５２における他装置による印刷用のボタンを示す図である。
【０１２３】
図１７に示すように、二装置画面５２における他装置による印刷用のボタンには、利用者が他装置情報に基づいた他装置による印刷の実行を希望するときに押すための「印刷実行」ボタン７２ａと、利用者が他装置による印刷の取り消しを希望するときに押すための「キャンセル」ボタン７２ｂと、利用者が自装置情報に基づいた他装置による印刷の実行を希望するときに押すための「自装置情報に基づいて印刷実行」ボタン７２ｃとが含まれている。なお、図１７において、「設定」ボタン６１、「印刷」ボタン６２および「他装置選択」ボタン６３は、利用者によって押されることができないようになっている。
【０１２４】
図１６に示すように、Ｓ２２１の処理の後、指示受付手段３２は、「印刷実行」ボタン７２ａが押されたか否かを判断する（Ｓ２２２）。指示受付手段３２は、「印刷実行」ボタン７２ａが押されていないとＳ２２２において判断すると、「キャンセル」ボタン７２ｂが押されたか否かを判断する（Ｓ２２３）。指示受付手段３２は、「キャンセル」ボタン７２ｂが押されていないとＳ２２３において判断すると、「自装置情報に基づいて印刷実行」ボタン７２ｃが押されたか否かを判断する（Ｓ２２４）。指示受付手段３２は、「自装置情報に基づいて印刷実行」ボタン７２ｃが押されていないとＳ２２４において判断すると、再びＳ２２２の処理を実行する。
【０１２５】
Ｓ２２２において「印刷実行」ボタン７２ａが押されたと判断されると、情報送信手段３６は、他装置情報記憶部４６ｂに記憶されている対象ＭＦＰの他装置情報に基づいた印刷データを対象ＭＦＰに送信する（Ｓ２２５）。したがって、対象ＭＦＰは、ＭＦＰ２０から受信した印刷データに基づいた印刷を実行する。
【０１２６】
Ｓ２２４において「自装置情報に基づいて印刷実行」ボタン７２ｃが押されたと判断されると、情報送信手段３６は、自装置情報記憶部４６ａに記憶されている自装置情報に基づいた印刷データを対象ＭＦＰに送信する（Ｓ２２６）。したがって、対象ＭＦＰは、ＭＦＰ２０から受信した印刷データに基づいた印刷を実行する。ＭＦＰ２０の自装置情報に基づいて対象ＭＦＰに印刷を実行させることは、例えばＭＦＰ２０が用紙切れであるときに便利である。
【０１２７】
ＭＦＰ２０は、Ｓ２２５またはＳ２２６において情報送信手段３６が印刷データを対象ＭＦＰに送信する前に、情報表示手段３１が印刷のプレビューを他装置情報表示領域７０に表示するようになっていても良い。そのようになっている場合、利用者は、他装置情報表示領域７０に表示されたプレビューを見て、対象ＭＦＰによる印刷の実行を中止することができる。
【０１２８】
なお、Ｓ２２５またはＳ２２６において情報送信手段３６が送信する印刷データは、例えば画像読込手段３４がスキャナ４４によって生成した画像データなど、どのようなデータであっても良い。
【０１２９】
コントローラ３０は、Ｓ２２３において「キャンセル」ボタン７２ｂが押されたと判断されるか、Ｓ２２５の処理またはＳ２２６の処理が実行されると、図１６に示す他装置印刷処理を終了する。
【０１３０】
図８に示すように、他装置印刷処理が終了されると、情報表示手段３１は、再び図３に示す二装置画面５２をディスプレイ４１に表示する（Ｓ１４４）。
【０１３１】
以上に説明したように、ＭＦＰ２０は、自装置情報表示領域６０および他装置情報表示領域７０を含む二装置画面５２を表示するので、ＭＦＰ２０自身および他のＭＦＰの一方に関する情報がディスプレイ４１に表示されているときに、ＭＦＰ２０自身および他のＭＦＰの他方に対する利用者からの指示を受け付けることができる。
【０１３２】
また、ＭＦＰ２０は、自装置情報の印刷設定と、他装置情報の印刷設定との一方に基づいて他方を一括して変更する指示を受け付ける（Ｓ１６４、Ｓ２０４）ので、自装置情報の印刷設定と、他装置情報の印刷設定との一方に基づいて他方を一括して変更することができる。
【０１３３】
また、ＭＦＰ２０は、ＭＦＰ２０自身に対する指示として、他装置情報の印刷設定に基づいたＭＦＰ２０自身での印刷の指示を受け付ける（Ｓ１８４）ので、他装置情報の印刷設定に基づいてＭＦＰ２０自身で印刷することができる。
【０１３４】
また、ＭＦＰ２０は、他のＭＦＰに対する指示として、自装置情報の印刷設定に基づいた他のＭＦＰでの印刷の指示を受け付ける（Ｓ２２４）ので、自装置情報の印刷設定に基づいて他のＭＦＰに印刷させることができる。
【０１３５】
なお、ＭＦＰ２０は、自装置情報に基づいたＭＦＰ２０自身での印刷のプレビューと、他装置情報に基づいたＭＦＰ２０自身での印刷のプレビューとの何れか一方を自装置情報領域６０に表示すると同時に、自装置情報に基づいた対象ＭＦＰでの印刷のプレビューと、他装置情報に基づいた対象ＭＦＰでの印刷のプレビューとの何れか一方を他装置情報領域７０に表示することができるようになっていても良い。そのようになっている場合、利用者は、自装置情報領域６０および他装置情報領域７０に表示されたプレビューを比較することができる。
【０１３６】
また、ＭＦＰ２０は、本実施の形態において対象ＭＦＰを選択するようになっているが、予め決められている対象ＭＦＰについて二装置画面５２を表示するようになっていても良い。
【０１３７】
なお、本発明の画像形成装置は、本実施の形態においてＭＦＰであるが、コピー機、プリンタなど、ＭＦＰ以外の画像形成装置であっても良い。
【符号の説明】
【０１３８】
２０  ＭＦＰ（画像形成装置）
３１  情報表示手段
３２  指示受付手段
５２  二装置画面（画面）
６０  自装置情報表示領域
７０  他装置情報表示領域
【図１】
0005738577.tif 000002
【図２】
0005738577.tif 000003
【図３】
0005738577.tif 000004
【図４】
0005738577.tif 000005
【図５】
0005738577.tif 000006
【図６】
0005738577.tif 000007
【図７】
0005738577.tif 000008
【図８】
0005738577.tif 000009
【図９】
0005738577.tif 000010
【図１０】
0005738577.tif 000011
【図１１】
0005738577.tif 000012
【図１２】
0005738577.tif 000013
【図１３】
0005738577.tif 000014
【図１４】
0005738577.tif 000015
【図１５】
0005738577.tif 000016
【図１６】
0005738577.tif 000017
【図１７】
0005738577.tif 000018